(57)【要約】【課題】複数の外部端子を並列配置しそれぞれの外部端子に設けられた保護蓋を開けるための指かかりを複数の外部端子列の外側に配置するために、保護蓋を開く操作時に指かかりに邪魔しないように、装置が保護蓋より出っ張らないようにレイアウトする必要があった。【解決手段】並列に並んだ外部端子列の複数の蓋の指かかり部を並列の端子列の内側に配置するとともに、隣あう端子列で指かかりの開き用突起を互い違いに配置することで、開き操作性を向上させた。  【選択図】図１
2015138071.tif 000002
【特許請求の範囲】
【請求項１】
第１の端子列と第２の端子列の並列に配置された外部と信号の入出力を行うための複数の端子を有し、前記複数の端子を複数の蓋で開閉可能に保護した撮像装置において、それぞれの前記複数の端子蓋の前記第１の端子列と前記第２の端子列が近接する側に突起部を配置し、前記第１の端子列の複数の端子蓋のそれぞれの突起部は前記第２の端子列の複数の端子蓋のそれぞれの突起部とそれぞれの端子列の端子並び方向にずらした位置に配置したことを特徴とする撮像装置。
【請求項２】
前記第１の端子列と前記第２の端子列はそれぞれの端子列の端子装着面が開き方向に角度を持たせて配置され、前記第１の端子列の複数の端子蓋と前記第２の端子列の複数の端子蓋も開き方向に角度を持って装着されていることを特徴とする請求項１に記載の撮影装置。
【発明の詳細な説明】
【技術分野】
【０００１】
本発明は、撮像装置の複数の入出力端子を保護する保護部材の配置に関するものである。
【背景技術】
【０００２】
従来の業務用ビデオカメラは外部と信号の入出力を行う端子が多く、複数の端子をまとめて配置することが一般的であった（非特許文献１参照）。
【０００３】
複数の端子をまとめて配置することにより、各端子が接続されている内部の配線基板もまとめられて部品点数を減らすことができ、コストメリットや、基板固定手段の削減による筺体の小型化にもメリットがある。 そして、各端子には保護部材を設けて端子不使用時に露出しないようになっている。
【先行技術文献】
【非特許文献】
【０００４】
【非特許文献１】キヤノン株式会社  ＸＦ-305  取り扱い説明書  P14
【発明の概要】
【発明が解決しようとする課題】
【０００５】
上記従来例では、各端子の保護部材は、各端子を露出させるために開けられるように指かかり用の突起部が設けられており、その指かかり用の突起部が配置された側の本体には、保護部材の突起部に指をかける操作に邪魔にならないように、保護部材より高い障害物が配置されないようになっており、そのため、保護部材の指かかり用の突起部側側面に配置されたバッテリ装着部はバッテリを内部装着としてバッテリ蓋が外部端子保護部材より突出していないレイアウトとしていた。これにより、バッテリ室内は、大きさの異なる大容量のバッテリも装着できるように大きな内部空間が必要となるため、装置全体が大型化していた。
【課題を解決するための手段】
【０００６】
本出願の第１の発明は、第１の端子列と第２の端子列の並列に配置された外部と信号の入出力を行うための複数の端子を有し、前記複数の端子を複数の蓋で開閉可能に保護した撮像装置において、それぞれの前記複数の端子蓋の前記第１の端子列と前記第２の端子列が近接する側に突起部を配置し、前記第１の端子列の複数の端子蓋のそれぞれの突起部は前記第２の端子列の複数の端子蓋のそれぞれの突起部とそれぞれの端子列の端子並び方向にずらした位置に配置したことを特徴ととしている。
【０００７】
また、本出願の第２の発明は、前記第１の端子列と前記第２の端子列はそれぞれの端子列の端子装着面が開き方向に角度を持たせて配置され、前記第１の端子列の複数の端子蓋と前記第２の端子列の複数の端子蓋も開き方向に角度を持って装着されていることを特徴としている。
【発明の効果】
【０００８】
上記の構成により、本発明によれば、複数の端子をまとめて配置したときでも、端子保護蓋を開きやすい操作性を確保した上で、端子の周囲を自由なレイアウトにすることが可能となる。又、バッテリを複数の外部端子の側面近傍に配置し、大型のバッテリを装着したときに、バッテリが撮像装置から突出する形態で配置可能となるため、撮像装置の大きさを小型化することができる。
【図面の簡単な説明】
【０００９】
【図１】撮影装置のレンズ面側斜め方向から見た外観斜視図
【図２】撮影装置の背面側斜め方向から見た外観斜視図
【図３】図２の端子蓋部の拡大図
【図４】撮影装置の背面側から見た正視図
【図５】図４を上面から見た部分詳細図
【図６】撮影装置の背面側斜め方向から見た端子蓋を開いた状態の外観斜視図
【図７】図６の端子部の拡大図
【図８】各端子に対応するプラグを装着した斜視図
【図９】端子蓋の開き状態での取付構造を示した部分拡大図
【図１０】端子蓋の閉じ状態での取付構造を示した部分拡大図
【図１１】バッテリ下部に設けられたカード装着部を示す斜視図
【図１２】カード装着部の保護カバーの開閉状態を示す断面図
【発明を実施するための形態】
【００１０】
図１は本発明の実施形態の撮影装置のレンズ面側斜め方向から見た外観斜視図、図２は、撮影装置の背面側斜め方向から見た外観斜視図である。図３は、図２の端子蓋部の拡大図、図４は、撮影装置の背面側から見た正視図、図５は、図４を上面から見た部分詳細図、図６は、撮影装置の背面側斜め方向から見た端子蓋を開いた状態の外観斜視図、図７は、図６の端子部の拡大図である。図８は、各端子に対応するプラグを装着した斜視図、図９は、端子蓋の開き状態での取付構造を示した部分拡大図で、特に、図９(A)は、端子蓋の開き状態での本体挿入部の拡大図、図９(B)は、図９(A)のＸ-Ｘ断面図、図９(C)は、図９(B)のY部拡大図を示している。図１０は、端子蓋の閉じ状態での取付構造を示した部分拡大図であり、特に、図１０(A)は、端子蓋の取付状態での本体挿入部の拡大図、図１０(B)は、図１０(A)のＷ-Ｗ断面図を示している。
【００１１】
以下、図１〜図１０を用いて本発明の実施形態の構成を説明する。同図において１は、撮影装置であるビデオカメラ、２は、ビデオカメラ１を撮影時に把持する把持部、３はビデオカメラ１に電源供給するためのバッテリ、４はビデオカメラ１をローアングルから撮影する時に把持するハンドル部、５は音声を入力するマイク部、６は、把持部２を把持した状態で人差し指、中指、薬指で操作可能な撮影レンズのズーミング操作を行うズーム操作レバー、７は把持部２を把持した状態で親指にて操作できる、撮影開始、及び撮影終了の押し込み操作を行うプッシュボタンである。
【００１２】
１０〜１５は複数の外部と信号の入出力を行う端子部を保護する端子蓋で、容易に変形と形状復帰が可能な柔らかい素材で作られている。図３において左側上下端子列を保護する端子蓋として、右側上下端子列に配置された信号の出力を行う第１列第１端子蓋１０と第１列第２端子蓋１１が配置されている。同じく図３左側上下端子列を保護する端子蓋として、上から、第２列第１端子蓋１２と、第２列第２端子蓋１３と、第２列第３端子蓋１４、第２列第４端子蓋１５が配置されている。第２列の４つの端子蓋はバッテリ３に一端の側面が近接している。
【００１３】
上記６つの端子蓋はそれぞれ、ビデオカメラ１の筺体に対して開くことによってそれぞれの外部端子が露出することになる。上記６つの端子蓋には、ビデオカメラ１の筺体に対して開く時に操作しやすいように、それぞれ、第１列第１端子蓋１０には第１列第１端子蓋突起部１０a、第１列第２端子蓋１１には第１列第２端子蓋突起部１１a、第２列第１端子蓋１２には第２列第１端子蓋突起部１２aと、第２列第２端子蓋１３には第２列第２端子蓋突起部１３a、第２列第３端子蓋１４には第２列第３端子蓋突起部１４a、第２列第４端子蓋１５には第２列第４子蓋突起部１５aが設けられ、開き操作時の指かかり突起となっている。
【００１４】
それぞれの指かかり突起は第１列は左側、第２列は右側に配置され、第１列第１端子蓋突起部１０aは第２列第１端子蓋突起部１２aと第２列第２端子蓋突起部１３aの上下方向の突起部が無いところに配置され、第１列第２端子蓋突起部１１aは第２列第２端子蓋突起部１３aと第２列第３端子蓋突起部１４aの上下方向の突起部が無いところに配置されている。又、図５に示すように、第２の端子列を基準として、第１の端子列は、開き角Ｂだけ傾けて配置されている。このように、第１列の端子蓋の突起部と第２列の端子蓋の突起部が互い違いになっており、かつ、２列の端子列が離れる方向に傾きを持っているため、１０〜１５の各端子蓋を開くために指を突起部に掛けた時、隣の端子列の指かかり突起が邪魔にならず、図３の１０〜１５の各端子蓋突起部に示された矢印方向に端子蓋を引き起こすことによって、各端子蓋を開くことができる。
【００１５】
１０〜１５の各端子蓋は、図７で示されるように、ビデオカメラ１の本体に設けられた開口１a、１b、１c、１d、１e、１fに、１０〜１５の各端子蓋の腕部１０a〜１５aが挿入され、腕部１０a〜１５aが変形することで、図６、図７のように、各端子蓋が開いた状態となる。そして、第１列第１端子蓋１０を開けたところには第１列第１端子２０、及び、第１列第１端子２１、第１列第２端子蓋１１を開けたところには第１列第３端子２２、及び、第１列第４端子２３、第２列第１端子蓋１２を開けたところには第２列第１端子２４、第２列第２端子蓋１３を開けたところには第２列第２端子２５、及び、第２列第３端子２６、第２列第３端子蓋１４を開けたところには第２列第４端子２７、第２列第４端子蓋１５を開けたところには第２列第５端子２８が配置されている。
【００１６】
そして、図８に前記各端子にそれぞれ、第１列第１端子プラグ３０、第１列第２端子プラグ３１、第１列第３端子プラグ３２、第１列第４端子プラグ３３、第２列第１端子プラグ３４、第２列第２端子プラグ３５、第２列第３端子プラグ３６、第２列第４端子プラグ３７、第２列第５端子プラグ３８を装着した状態が示され、各端子の装着面法線方向が第１列と第２列で開き方向に向いているので、プラグの装着が容易となっている。
【００１７】
上記、１０〜１５の端子蓋の腕部１０a〜１５aの先端にはフック部が設けられ、例えば、図９(B)、及び、図９(C)の断面図で示されるように、第１列第１端子蓋１０の腕部１０aの先端のフック部１０bはビデオカメラ１の本体に設けられた開口１aの内壁部１gに引っかかることで、ビデオカメラ１の本体から脱落防止されている、又、図９、図１０のように、腕部１０aの根元には、開口１aに対して圧入となる突起部１０cが設けられており、第１列第１端子蓋１０を閉じた時にビデオカメラ１の本体に軽圧入されてガタつきなく安定して装着されている。
【００１８】
このような、腕部１０a、フック部１０b、突起部１０cと同様のフック部、及び、突起部は、他の１１〜１５の端子にも設けられているが詳細な説明は省略する。
【００１９】
次に、図１１〜図１２を用いて、バッテリ３の下方に配置された記録媒体であるカード装着部の説明を行う。図１１はバッテリ下部に設けられたカード装着部を示す斜視図で、カード装着部がカード保護蓋４０に覆われた図を示している。図１２は、本発明のカード装着部の保護カバーの開閉状態を示す断面図で、カード保護蓋４０は図１２(Ａ)の断面で示されるように、カード４１をカード挿入部４２に装着した状態で覆っている。カード保護蓋４０は回転軸４０aで軸支持されており、回転軸４０aを中心に図中反時計回転方向に回転すると、カード４１が露出する。そしてカード４１をカード挿入部４２側へ押し込むことによって、不図示の排出機構により図１２(c)のようにカード４１が排出された状態となり、取り出しやすくなっている。
【００２０】
そして、図１２に示されるように、このようなカード装着部４２、カード保護蓋４１が設けられたバッテリ３の下方空間の側壁側には、前述、第２列第５端子２８が配置されており、第２列第５端子プラグ３８が装着されている。第２列第５端子プラグ３８は、第２列第５端子２８からはずすとき、ロック解除部３８aを押さないと外れない構造となっている。バッテリ３の下部に、カード装着部を配置しカード保護のためのカード保護蓋４１の開閉移動のための空間、及び、カード４１を取り出しやすくするための空間を設けているため、第２列第５端子プラグ３８のロック解除部３８aを押す時にバッテリ３が、障害物とならないため、ロック解除操作しやすくなっている。
【００２１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２２】
１‥‥ビデオカメラ
２‥‥把持部
３‥‥バッテリ
４‥‥ハンドル部
５‥‥マイク部
６‥‥ズーム操作レバー
７‥‥プッシュボタン
１０‥‥第１列第１端子蓋
１１‥‥第１列第２端子蓋
１２‥‥第２列第１端子蓋
１３‥‥第２列第２端子蓋
１４‥‥第２列第３端子蓋
１５‥‥第２列第４端子蓋
【図１】
2015138071.tif 000003
【図２】
2015138071.tif 000004
【図３】
2015138071.tif 000005
【図４】
2015138071.tif 000006
【図５】
2015138071.tif 000007
【図６】
2015138071.tif 000008
【図７】
2015138071.tif 000009
【図８】
2015138071.tif 000010
【図９】
2015138071.tif 000011
【図１０】
2015138071.tif 000012
【図１１】
2015138071.tif 000013
【図１２】
2015138071.tif 000014